(57)【要約】      （修正有）【課題】可燃廃棄物を有機肥料やその他のリサイクル資源として活用するための処理装置を提供する。【解決手段】可燃廃棄物裁断、破砕して調整材と混ぜ分解処理容器に収容して加圧磁化蒸気を送入し、攪拌することにより、可燃廃棄物を磁力分解、加水分解、圧力分解する加圧・磁化蒸気分解処理装置。【選択図】図９
2004250288.tif 000002
【特許請求の範囲】
【請求項１】
図２において、可燃廃棄物ＣＤを処理し資源にリサイクルするため可燃廃棄物ＣＤを分解処理容器２６に収容し蒸気、圧力、蒸気を介して撹拌羽根２９で撹拌することにより、可燃廃棄物を加水分解、圧力分解、磁力分解処理し、処理物Ｄを堆肥及び有機肥料に、又、その他の資材としてリサイクル資源に活用するための加圧・磁化蒸気分解処理装置。
【請求項２】
図２において、処理容器２６の上部投入口２０と下部取出口３５の開閉弁ボ−ルバルブ２２・３４を装置する。
【請求項３】
図４において、筒状の容器の蘇水システムＲＰに鉱石の粉沫を焼成してセラミック化した特殊濾材を充填し、その中に水を通してボイラ−１３に給水する装置。
【請求項４】
図５において、請求項１の分解処理にあたり処理容器２６内を磁場状態にするために、コンピュ−タ−を内蔵した本体と処理容器２６に入る蒸気が通る給蒸管１８に巻き付けたケ−ブル１６により構成された磁化装置ＶＰ。
【請求項５】
図６において、図２の処理容器本体２６と同じ許容圧力の小型タンクに本体下部取出口ボ−ルバルブ３４の上に配管でつなぎ処理容器２６内の下部に溜まった液状分を受け入れて貯蔵し、有機液肥や木酢液として取り出す固体・液体分離装置ＳＰ。
【請求項６】
図７において、図２の放蒸口２４より放棄された蒸気を消音器４４の数個の穴より拡散させて音を小さくし、消臭基材ＳＯにより悪臭を断って無公害の湯気として湯気放出筒４５より排出する放蒸消音消臭装置ＶＶＰ。
【発明の詳細な説明】
【０００１】
【発明の属する技術分野】
本発明は、可燃廃棄物をおが屑等の調整材を介して加水・磁力・圧力等により蒸熟分解処理する装置並びに処理物を有機肥料などに資源活用できるための各装置に関するもの。
【０００２】
【従来の技術】
従来の可燃廃棄物処理は、燃焼による方法や微生物によるコンポスト方式の処理が多く、ダイオキシン類等の公害問題、埋立、又、時間をかけて減量し、堆肥・肥料として畑地等に利用するか、廃棄処分するものである。
【０００３】
【発明が解決しようとする課題】
従来の廃棄物処理は、自治体による高額な資金を投じた溶融炉等による焼却法であり、焼却灰等の残さ物を最終処分場に埋め立てなければならない。又、微生物により分解減量するコンポスト方式は時間がかかり、生ゴミ類に限られているし、畜糞処理においても今後、厳しい規制が施行される予定である。
【０００４】
上記課題を解決するには、可燃廃棄物及び畜糞等の処理量に応じた施設を低コストで、しかも安全・無公害に処理でき、自治体をはじめ各企業、農・畜産家に対応・設置可能であり、リサイクルや資源に還元できる本発明が最も適している。
【０００５】
本発明は、図２の処理容器２６の中の処理物を、送入した磁化飽和蒸気ＭＶを１８〜２０気圧の圧力と１８０〜２００℃の温度で熟しながら攪拌羽根２９で６０〜９０分攪拌して処理することで、良質の堆肥や肥料として資源に活用すること、又、各種の資材として利用できることを目的としている。
【０００６】
【課題を解決するための手段】
上記目的を達成するために、本発明の可燃廃棄物リサイクル資源機は、図１において正面中央部に直径４５０ｍｍの点検口３０を設け、図２の可燃廃棄物ＣＤとおが屑・米糠等の調整材ＡＤを収容し、むらなく処理するための攪拌装置ＳＵを備えた加圧・磁化蒸気処理容器２６本体と、水に消臭・排水浄化、ボイラ−の燃費改善、配管スケールの除去等の機能を持たせるための蘇水システムＲＰと、処理容器２６内を磁場状態にする蒸気磁化装置ＶＰと、有機液肥や木酢液を取り出すための固体・液体分離装置ＳＰと放棄蒸気ＤＶの消音と消臭をして無公害の湯気を排出する放蒸消音消臭装置ＶＶＰから構成される。
【０００７】
上記分解において、攪拌処理を容易にするためには、投入する可燃廃棄物を小さく裁断・破砕して投入するのが効果的である。
【０００８】
【発明の実施の形態】
発明の実施の形態を実施例にもとづき、図面を参照して説明する。
図８の電源スイッチ１をＯＮ、同時に時間設定３・圧力設定４・温度設定５ボイラー稼動６・磁化装置７・攪拌羽根正転９・攪拌羽根逆転１０の各スイッチをＯＮにして、投入口バルブ開閉スイッチ１１を開にする。
【０００９】
図２において、攪拌羽根２９を回転させながら、前処理をした可燃物廃棄物ＣＤ及びおが屑等の調整材ＡＤをベルトコンベヤー１９で運び投入ホッパー２１より処理容器２６内へ投入する。
【００１０】
同時に図４の装置ＲＰにより、飽和蒸気ＳＶを図５の磁化装置ＶＰへ送り込む。
【００１１】
同時に図５の磁化装置ＶＰにより磁化された磁化飽和蒸気ＭＶを、図２の給蒸口２３より処理容器２６内へ送入する。
【００１２】
図２において、定量を収容後、図８の投入口バルブ開閉スイッチ１１を閉にする。
【００１３】
図２において、可燃廃棄物ＣＤ及びおが屑等の調整材ＡＤを、磁化飽和蒸気ＶＰに温度１８０〜２００℃、約１８〜２０気圧の圧力を加えて約６０〜９０分攪拌する。この作業で磁力分解、加水分解、圧力分解の蒸熟処理をする。
【００１４】
図２において、作業中に温度・圧力が設定以上になると、自動的に安全弁２５より放蒸する。
【００１５】
ある程度作業が進んだら、図６の液体排出バルブ３７を開にして処理容器下部に溜まった液体を、固体・液体分離同圧タンク３９内へ貯蔵する。
【００１６】
作業停止後、図８の蒸気放出スイッチ８をＯＮにして図７の放蒸口２４より蒸気を段階的に放出する。
【００１７】
図７において、放蒸口２４より放出された放棄蒸気ＤＶは放蒸消音消臭装置ＶＶＰにより消音・消臭された後、湯気排出筒４６より無公害の湯気として排出される。溜り水は水抜きバルブ４７を開にして排水槽４９に排出する。
【００１８】
図８の攪拌羽根正転スイッチ９、攪拌羽根逆転スイッチ１０をＯＮにして図２の攪拌羽根２９を稼動させながら、処理容器２６内の処理物Ｄを図８の取出口バルブ開閉スイッチ１２を開にして取出口３５より処理済物受ボックス３６へ排出する。
【００１９】
【発明の効果】
本発明は、以上説明したように構成されているので下記に記載されている効果を奏する。
【００２０】
処理物を、処理容器内に送り込まれる蒸気に磁力をかけることによって処理容器内を磁場状態にして、約１８０〜２００℃の温度と約１８〜２０気圧の圧力で蒸熟し攪拌による分解装置の連携によって悪臭を抑えることができる。
【００２１】
可燃廃棄物を分別して処理することにより、例えば木酢液などの付加価値のある副製品をつくり出すことができる。
【００２２】
処理済み排出物はすべて堆肥及び肥料化、資材として利用できるので最終処分場の必要がない。
【００２３】
何よりも、循環型社会形成に向けてリサイクル及び資源の還元に寄与する装置である。
【図面の簡単な説明】
【図１】可燃廃棄物リサイクル資源機の全体正面図である。
【図２】可燃廃棄物リサイクル資源機の全体正面断面図である。
【図３】可燃廃棄物リサイクル資源機の全体上面図である。
【図４】蘇水システム・ボイラー部の図である。
【図５】蒸気磁化装置部の図である。
【図６】固体・液体分離装置部の図である。
【図７】放蒸消音消臭装置部の図である。
【図８】制御盤部の図である。
【図９】加圧磁化蒸気処理装置のフロートシート図である。
【符号の説明】
１  電源スイッチ
２  緊急停止スイッチ
３  時間設定スイッチ
４  圧力設定スイッチ
５  温度設定スイッチ
６  ボイラー稼動スイッチ
７  磁化装置スイッチ
８  蒸気放出スイッチ
９  攪拌羽根正転スイッチ
１０  攪拌羽根逆転スイッチ
１１  投入口バルブ開閉スイッチ
１２  取出口バルブ開閉スイッチ
１３  ボイラー
１４  給水ポンプ
１５  煙突
１６  ケーブル
１７  逆止弁
１８  給蒸管
１９  ベルトコンベヤー
２０  投入口
２１  投入受入ホッパー
２２  投入口ボールバルブ開閉弁
２３  給蒸口
２４  放蒸口
２５  安全弁
２６  処理容器（加圧・磁化蒸気処理）
２７  攪拌駆動チェーン
２８  攪拌軸
２９  攪拌羽根
３０  点検口
３１  予備口
３２  温度計
３３  圧力計
３４  取出口ボールバルブ開閉弁
３５  取出口
３６  処理済物受ボックス
３７  液体排出バルブ
３８  液体排出管
３９  固体・液体分離同圧タンク
４０  液肥受槽
４１  固体取出口
４２  固体受ボックス
４３  廃棄蒸気管
４４  廃棄蒸気給入バルブ
４５  消音器
４６  湯気放出筒
４７  水抜きバルブ
４８  排水管
４９  排水槽
ＣＤ  可燃廃棄物
Ｄ  処理物
ＲＰ  蘇水システム
ＶＰ  磁化装置
ＳＰ  固体・液体分離装置
ＳＯ  消臭器材
ＶＶＰ  放蒸消音消臭装置
ＭＶ  磁化飽和蒸気
ＡＤ  調整材
ＳＵ  攪拌装置
ＤＶ  放棄蒸気
ＳＶ  飽和蒸気
ＤＬ  排出液体
ＬＣ  液肥
ＤＷ  排水
Ｗ  水
Ｇ  排気ガス
【図１】
2004250288.tif 000003
【図２】
2004250288.tif 000004
【図３】
2004250288.tif 000005
【図４】
2004250288.tif 000006
【図５】
2004250288.tif 000007
【図６】
2004250288.tif 000008
【図７】
2004250288.tif 000009
【図８】
2004250288.tif 000010
【図９】
2004250288.tif 000011